(57)【要約】【課題】裁断機を大型化することなく、裁断刃を効果的に洗浄する裁断機の裁断刃洗浄装置を提供する。【解決手段】シート材を載置して保持する裁断テーブル４と、シート材Ｓを裁断する裁断刃５５と、予め設定された形状に裁断刃５５を移動させる裁断ヘッド７とを備える裁断機１の裁断刃洗浄装置２であって、裁断テーブル４の近傍で、裁断刃５５が移動可能な範囲内に配置され、裁断刃５５が挿通されることで裁断刃５５を洗浄する洗浄手段１１を有する。洗浄手段１１は、裁断ヘッド７に設けられ、裁断刃５５でシート材Ｓを裁断する際に裁断刃５５の周囲のシート材Ｓを押圧するシート押え５４と、洗浄手段１１と隣接して設けられ、洗浄手段１１で裁断刃５５を洗浄する前にシート押え５４を取り外すシート押え着脱手段２０と、裁断刃５５を洗浄する際は開放し、裁断刃５５が退去した際に洗浄手段１１を覆う蓋３０とを備えて構成する。【選択図】図３
2018001389.tif 000002
【特許請求の範囲】
【請求項１】
裁断するシート材を載置して保持する裁断テーブルと、
上昇してシート材から離間した離間状態、及び下降してシート材を裁断する状態との間で昇降可能に設けられた裁断刃と、
前記裁断刃を保持し、予め設定された形状に前記裁断刃を移動させる裁断ヘッドと、
を備える裁断機の裁断刃洗浄装置であって、
前記裁断テーブルの近傍で、前記裁断刃が移動可能な範囲内に配置され、前記裁断刃が挿通されることで前記裁断刃を洗浄する洗浄手段と、
前記裁断ヘッドに設けられ、前記裁断刃で前記シート材を裁断する際に前記裁断刃の周囲のシート材を押圧するシート押えと、
前記洗浄手段と隣接して設けられ、前記洗浄手段で前記裁断刃を洗浄する前に前記シート押えを取り外すシート押え着脱手段と、
前記裁断刃を洗浄する際は開放し、前記裁断刃が退去した際に前記洗浄手段を覆う蓋と、を備える裁断機の裁断刃洗浄装置。
【請求項２】
前記洗浄手段は、
前記裁断刃が挿通される際に該裁断刃と摺接するブラシと、
前記ブラシの少なくとも一部が浸漬され、該ブラシの裁断刃接触部に供給される洗浄液と、
前記洗浄液を貯留する洗浄液貯留部と、を備える請求項１記載の裁断機の裁断刃洗浄装置。
【請求項３】
前記シート押え着脱手段は、
開閉自在なチャック手段を備え、該チャック手段と前記シート押えが対向した際に、前記チャック手段を閉じて前記シート押えを挟持することで該シート押えを裁断ヘッドから離脱させるように構成した請求項１または請求項２のいずれか一項に記載の裁断機の裁断刃洗浄装置。
【請求項４】
裁断テーブル上に保持されたシート材を裁断ヘッドに保持された裁断刃によって裁断するとともに裁断によって汚れが付着した裁断刃を洗浄する裁断刃の洗浄方法であって、
前記裁断ヘッドに着脱自在にシート押えを設けておき、前記裁断刃を洗浄する前に、前記シート押えを保持して取り外し、
前記裁断ヘッドを洗浄手段上に移動させ、裁断刃を洗浄手段で洗浄し、
前記裁断刃を洗浄後、前記裁断ヘッドを、取り外したシート押え上に移動させてシート押えを裁断ヘッドに装着するように構成した裁断機の裁断刃洗浄方法。
【請求項５】
裁断テーブル上に保持されたシート材を裁断ヘッドに保持された裁断刃によって裁断するとともに裁断によって汚れが付着した裁断刃を洗浄する裁断機の裁断刃洗浄方法であって、
前記裁断ヘッドに着脱自在にシート押えを設けておき、
前記裁断ヘッドを洗浄手段上に移動させ、前記シート押えと該シート押えから突出した裁断刃の突出部を洗浄手段で洗浄し、
前記シート押えと裁断刃の突出部を洗浄した後、前記シート押えを保持して取り外し、  
前記裁断刃を洗浄後、前記裁断ヘッドを、取り外したシート押え上に移動させて該シート押えを裁断ヘッドに装着するように構成した裁断機の裁断刃洗浄方法。
【請求項６】
前記取り外したシート押えを裁断ヘッドに装着した後、前記洗浄手段を蓋で覆うように構成した請求項４または請求項５のいずれか一項に記載の裁断機の裁断刃洗浄方法。
【発明の詳細な説明】
【技術分野】
【０００１】
本発明は、シート材を裁断する裁断刃の洗浄が可能な裁断機の裁断刃洗浄装置及び洗浄方法に関する。
【背景技術】
【０００２】
従来から、各種繊維材料で形成されたシート材を裁断テーブル上に保持して裁断する裁断機が知られている。該裁断機においては、予め設定された裁断データに従って、裁断刃が制御され、シート材が各種の形状に裁断される。
【０００３】
近年では、航空機や自動車部材などの各種産業用の材料も裁断されるようになってきており、例えば、炭素繊維などの繊維に樹脂を含浸させたプリプレグなどの裁断も行われている。このようなプリプレグを裁断すると、裁断刃などに樹脂成分が付着し、該裁断刃の切れ味が低下したり、付着した樹脂成分をシート材上で引きずって該シート材を汚染したりするため、付着した樹脂成分を除去して、清掃する必要がある。
【０００４】
このようなシート材の裁断刃の洗浄を行う装置として、裁断機の裁断テーブルに裁断刃を洗浄する洗浄手段が設けられた裁断刃洗浄装置が知られている（例えば特許文献１）。前記裁断刃洗浄装置は、裁断テーブル上のシート材の載置面以外の場所で、裁断刃が移動可能な範囲内に配置された洗浄手段を有している。また、該洗浄手段は、裁断テーブルの表面に対して出没可能で、上部が裁断テーブルの表面よりも突出した状態で裁断刃を洗浄するようになっている。
【０００５】
【特許文献１】特開２０１５−８９５９６号公報
【発明の開示】
【発明が解決しようとする課題】
【０００６】
ところで、前記特許文献１のような裁断刃洗浄装置は、普段シート材を裁断する際には裁断テーブルの載置面より、低い位置に位置し、裁断刃の洗浄時にだけ、載置面より突出するようになっている。従って、洗浄手段に昇降手段を設ける必要があり、縦方向への移動量分のスペースが必要となり、設置場所に制約が生じる問題がある。
【０００７】
また、裁断刃の周囲には、シートを押圧して固定するシート押えが設けられているが、特許文献１の裁断刃洗浄装置においては、前記シート押えを装着したまま裁断刃を洗浄するようになっているため、裁断刃がシート押えから突出した部分しか洗浄できない問題がある。従って、レシプロ方式で裁断する場合の裁断刃や裁断刃の使用部位を変更する場合に、裁断刃の一部がシート押えに隠れてしまう場合があり、裁断刃全体を洗浄できない問題がある。
【０００８】
そこで、本発明は、設置場所の制約を低減するとともに、裁断刃全体を洗浄できる裁断刃洗浄装置及び洗浄方法を提供することを目的とする。
【課題を解決するための手段】
【０００９】
本発明の構成は、以下のような構成を採用する。
【００１０】
本発明は、裁断するシート材を載置して保持する裁断テーブルと、
上昇してシート材から離間した離間状態、及び下降してシート材を裁断する状態との間で昇降可能に設けられた裁断刃と、
前記裁断刃を保持し、予め設定された形状に前記裁断刃を移動させる裁断ヘッドと、
を備える裁断機の裁断刃洗浄装置であって、
前記裁断テーブルの近傍で、前記裁断刃が移動可能な範囲内に配置され、前記裁断刃が挿通されることで前記裁断刃を洗浄する洗浄手段と、
前記裁断ヘッドに設けられ、前記裁断刃で前記シート材を裁断する際に前記裁断刃の周囲のシート材を押圧するシート押えと、
前記洗浄手段と隣接して設けられ、前記洗浄手段で前記裁断刃を洗浄する前に前記シート押えを取り外すシート押え着脱手段と、
前記裁断刃を洗浄する際は開放し、前記裁断刃が退去した際に前記洗浄手段を覆う蓋と、を備える構成を採用した裁断機の裁断刃洗浄装置である。
【００１１】
本構成によれば、シート押え着脱手段を備えているので、シート押えを取り外して裁断刃の露出を多くした状態で、裁断刃を洗浄できる。すなわち、裁断刃の全体を洗浄することが可能となる。
【００１２】
また、前記洗浄手段は、
前記裁断刃が挿通される際に該裁断刃と摺接するブラシと、
前記ブラシの少なくとも一部が浸漬され、該ブラシの裁断刃接触部に供給される洗浄液と、
前記洗浄液を貯留する洗浄液貯留部と、をさらに備えることができる。この構成によれば、ブラシの摺接だけでは落とし切れない付着物を洗浄液で剥離させ易くでき、効率良く裁断刃を洗浄できる。
【００１３】
また、前記シート押え着脱手段は、
開閉自在なチャック手段を備え、該チャック手段と前記シート押えが対向した際に、前記チャック手段を閉じて前記シート押えを挟持することで該シート押えを裁断ヘッドから離脱させるように構成することができる。
【００１４】
この構成によれば、シート押えがチャック手段で保持された状態で、裁断ヘッドが上昇するので、シート押えを容易に取り外すことができる。また、裁断ヘッドも通常裁断で使用するストロークだけの昇降でシート押えを取り外すことができ、裁断ヘッドに洗浄用としての昇降機構を別途設ける必要がない。
【００１５】
また、本発明は、裁断テーブル上に保持されたシート材を裁断ヘッドに保持された裁断刃によって裁断するとともに裁断によって汚れが付着した裁断刃を洗浄する裁断機の裁断刃洗浄方法であって、
裁断ヘッドに着脱自在にシート押えを設けておき、前記裁断刃を洗浄する前に、前記シート押えを保持して取り外し、
前記裁断ヘッドを洗浄手段上に移動させ、裁断刃を洗浄手段で洗浄し、
前記裁断刃を洗浄後、前記裁断ヘッドを、取り外したシート押え上に移動させてシート押えを裁断ヘッドに装着するように構成した裁断刃洗浄方法である。本構成によれば、シート押えを取り外してから裁断刃を洗浄できるので、裁断刃全体を効率良く洗浄できる。
【００１６】
また、本発明は、裁断テーブル上に保持されたシート材を裁断ヘッドに保持された裁断刃によって裁断するとともに裁断によって汚れが付着した裁断刃を洗浄する裁断機の裁断刃洗浄方法であって、
前記裁断ヘッドに着脱自在にシート押えを設けておき、
前記裁断ヘッドを洗浄手段上に移動させ、前記シート押えと該シート押えから突出した裁断刃の突出部を洗浄手段で洗浄し、
前記シート押えと裁断刃の突出部を洗浄した後、前記シート押えを保持して取り外し、  
前記裁断刃を洗浄後、前記裁断ヘッドを、取り外したシート押え上に移動させて該シート押えを裁断ヘッドに装着するように構成した裁断刃洗浄方法である。本構成によれば、シート押えとともに裁断刃の全域も洗浄することができる。
【００１７】
また、前記取り外したシート押えを裁断ヘッドに装着した後、前記洗浄手段を蓋で覆うように構成すれば、揮発性の洗浄液を用いた場合であっても、揮発を防止でき、環境を汚染することを最小限にできる。
【発明の効果】
【００１８】
本発明によれば、縦方向へのスペースを最小限にでき、設置スペースの制約を低減できる。また、裁断刃の洗浄の際、裁断ヘッドの上下ストロークを利用するので、洗浄用に別途裁断刃の昇降手段を設けたり、洗浄手段に昇降手段を設けたりする必要がない。
【００１９】
また、本発明によれば、シート押えを取り外してから裁断刃を洗浄できるので、裁断刃全体を洗浄できる。
【図面の簡単な説明】
【００２０】
【図１】は、本発明の一実施形態に係る裁断刃洗浄装置を採用したシート材裁断装置の一部切欠き平面図である。
【図２】は、本発明の裁断刃洗浄装置部分の平面図である。
【図３】は、図２のＡ−Ａ方向矢視図である。
【図４】は、図３のＣ−Ｃ方向の一部切欠き矢視図である。
【図５】は、図２のＢ−Ｂ方向断面図である。
【図６】は、本発明の裁断刃洗浄装置の蓋駆動部分の説明図である。
【図７】（ａ）及び（ｂ）は、本発明の裁断刃洗浄装置の動作の一実施形態を表す説明図である。
【図８】（ｃ）及び（ｄ）は、本発明の裁断刃洗浄装置の動作の一実施形態を表す説明図である。
【図９】（ａ）及び（ｂ）は、本発明の裁断刃洗浄装置の動作の別の実施形態を表す説明図である。
【図１０】（ｃ）は、本発明の裁断刃洗浄装置の動作の別の実施形態を表す説明図である。
【発明を実施するための形態】
【００２１】
以下、本発明の一実施形態である裁断刃洗浄装置について図１から図６に基づいて説明する。
【００２２】
図１は、本発明の裁断刃洗浄装置２を組み込んだ裁断機１の平面図である。前記裁断機１は、多数の吸着孔を有する矩形状の裁断テーブル４と、前記裁断テーブル４の短辺方向（Ｙ方向）に沿って懸架され、裁断テーブル４の長辺方向（Ｘ方向）に移動自在に設けられたＹビーム５と、前記Ｙビーム５上に設けられ、前記Ｙビーム５に沿って移動自在な裁断ヘッド７と、前記裁断ヘッド７に設けられた裁断刃５５（図３参照）と、前記裁断テーブル４のシート材Ｓの載置面の外側で、裁断ヘッド７の移動領域に設けられた裁断刃洗浄装置２などを有して構成されている。
【００２３】
前記裁断テーブル４は、吸引ボックス（図示しない）上に、吸着孔が多数穿設された樹脂やゴムなどのシートが敷設されて形成されている。また、前記吸引ボックスにはブロアなどの吸引機構が設けられ、前記吸着孔を通じて裁断テーブル４の載置面に吸着力を発生させるようになっている。前記裁断テーブル４の載置面上に、裁断するシート材Ｓ（例えば、プリプレグ、繊維強化樹脂）が吸着保持される。
【００２４】
前記Ｙビーム５は、前記裁断テーブル４上のＹ方向に沿って懸架され、図示しない駆動源により、Ｘ方向に沿って移動自在になっている。また、前記Ｙビーム５上に、Ｙ方向に沿って複数のレール６が敷設されている。
【００２５】
図３及び図４のように、前記裁断ヘッド７は、該裁断ヘッド７の本体を形成するヘッド枠５０と、前記ヘッド枠５０に設けられた裁断刃５５と、該裁断刃５５の周囲に設けられ、前記シート材Ｓを押圧するシート押え５４と、該シート押え５４を着脱自在に支持する固定枠５３などを備えて構成されている。
【００２６】
前記ヘッド枠５０は、背面にスライダ５９（図４参照）が設けられている。該スライダ５９は、Ｙビーム５から鉛直に下垂された支持板５７上のレール５８に嵌合され、図示しない駆動源により昇降自在になっている。前記支持板５７は、Ｙビーム５のレール６にスライダ６２を介して移動自在に支持されており、前記ヘッド枠５０は、図示しない駆動源によって、Ｙビーム５のレール６に沿ったＹ方向への移動が自在になっている。
【００２７】
前記裁断刃５５は、刃物ホルダ５６に着脱可能に保持されている。前記刃物ホルダ５６は、前記ヘッド枠５０に軸支され、図示しない適宜な機構により、前記シート押え５４及び固定枠５３と一体に回動可能になっている。
【００２８】
また、前記ヘッド枠５０の下端に支持板６０が水平に設けられている。前記支持板６０上の支持枠５１内にはガイド６１が鉛直に設けられ、該ガイド６１のガイド軸６１ａの下端が、固定枠５３に接続されている。なお、図示しない適宜のストッパにより、前記支持板６０と前記固定枠５３の隙間を調整することで、前記裁断刃５５のシート押え５４からの突出量を調節することが可能になっている。
【００２９】
前記シート押え５４は、円形に形成され、中央に設けられた開口部に裁断刃５５が挿通されるようになっている。前記シート押え５４の上面は、後述する磁石５３ａに引き付けられるよう、鉄などの金属で形成されている。また、前記シート押え５４の上面部には複数の係合ピン５４ａが立設されている。
【００３０】
前記固定枠５３は、その下面の内周部分が凹状に形成され、凹状面を形成しており、前記シート押え５４の上面の凸状部が前記凹状面に嵌合するようになっている。前記凹状面には、磁石５３ａが複数設けられており、シート押え５４の上面と引き合って前記シート押え５４を保持するようになっている。また、前記係合ピン５４ａが、前記固定枠５３の下面に穿設された孔に係合し、前記シート押え５４の回転を拘束するとともに該シート押え５４を位置決めするようになっている。
【００３１】
次に、本発明の裁断刃洗浄装置２について、以下に説明する。
【００３２】
前記裁断刃洗浄装置２は、前記シート材Ｓが載置される裁断テーブル４の載置面の外側で、前記裁断ヘッド７の移動領域に設けられている。前記裁断刃洗浄装置２は、矩形のケース１０内に形成され、洗浄手段１１と、シート押え着脱手段２０などを備える。
【００３３】
前記洗浄手段１１は、ケース１０の略中央に設けられており、矩形の容器１５と、該容器１５の内部に設けられた洗浄槽１７と、該洗浄槽１７上に設けられたブラシ１４と、前記洗浄槽１７を覆う開閉自在な蓋３０などを備える。
【００３４】
前記洗浄槽１７は、ケース１０の底面の底板８上に立設された支持台１８上に設けられている。また、前記容器１５内に薬液が貯留される。前記薬液は、洗浄する付着物により、各種の薬液が選定でき、例えばアルコールやＭＥＫ（メチルエチルケトン）などが用いられる。前記容器１５内の洗浄槽１７の両脇には固定枠１６、１６が設けられ、両固定枠１６、１６上に前記ブラシ１４を保持する保持枠１３、１３がそれぞれ設けられている。前記保持枠１３、１３に、前記ブラシ１４、１４がそれぞれ保持されている。また、前記ブラシ１４、１４は、一部が前記洗浄槽１７にそれぞれ浸漬するようになっており、前記ブラシ１４、１４の先端同士が接するようになっている。従って、前記ブラシ１４、１４に、前記洗浄槽１７の薬液がそれぞれ供給されるようになっている。
【００３５】
また、前記裁断ヘッド７が、前記洗浄手段１１上に移動した際に前記裁断刃５５が前記ブラシ１４、１４の境界部に位置し、前記裁断ヘッド７の下降に伴って、前記裁断刃５５が前記ブラシ１４、１４間に挿通されるようになっている。
【００３６】
前記シート押え着脱手段２０は、前記洗浄槽１７と隣接して設けられている。前記シート押え着脱手段２０は、チャック２３と、刃物台２１と、前記チャック２３を開閉するシリンダ２４などを備える。
【００３７】
前記チャック２３は、半円状に分割して形成され、前記シリンダ２４を作用させることで、開閉部２４ａによって開閉されるようになっている。前記チャック２３は、閉じた際に、前記シート押え５４のくびれ部分に係合し、該シート押え５４を挟持するようになっている。
【００３８】
前記刃物台２１は、前記チャック２３の中央に位置し、中央部に前記裁断刃５５が挿通される溝が形成されている。また、前記刃物台２１は、前記シート押え５４が下降した際に裁断刃５５が前記溝内に挿通されることで、該シート押え５４から突出した裁断刃５５が干渉しないようになっており、該シート押え５４を支持するようになっている。
【００３９】
前記蓋３０は、図２、図５及び図６のように、下向きコの字状に形成され、その内面にゴムシートなどのシール材３０ｂが貼り付けられている。また、前記蓋３０の一方の側壁３０ａに、シリンダ４０のシリンダ軸４０ａが、駆動軸３６を介して接続されている。前記シリンダ４０は、後端側の支持部４０ｂが前記底板８に立設された支持枠４２に軸４１を介して軸支されている。従って、前記シリンダ４０は、軸４１を介して回動するようになっている。
【００４０】
前記シリンダ４０のシリンダ軸４０ａの先端に、連結部材３９が設けられ、該連結部材３９は、前記駆動軸３６に軸支されている。前記駆動軸３６は、前記側壁３０ａに軸支され、さらに前記駆動軸３６の先端は、該側壁３０ａを介して該側壁３０ａの内側のカム３５に軸支されている。
【００４１】
また、前記カム３５は、略三角形状に形成されており、該カム３５上部の頂点部は、前記駆動軸３６に軸支されており、該カム３５下部の頂点部は、軸４４に軸支されている。また、該軸４４の他端側は、支持板３８に固定されている。前記カム３５下部のもう一つの頂点部は、外側に向けてガイドローラ３３が軸支されている。
【００４２】
前記蓋３０の側壁３０ａは、左右対称に形成されており、駆動側と対称に位置する従動側の側壁３０ａは、軸４３に軸支され、該軸４３にカム３５が軸支されている。その他の機構は、駆動側のシリンダ４０及び駆動軸３６を除いて、従動側は、左右対称に同一の部材が一対設けられているだけであるので説明を省略する。
【００４３】
前記支持台１８の両側面にはレール３１、３１が敷設され、前記スライダ３２、３２が移動可能に嵌合している。また、前記蓋３０の両側板３０ａ、３０ａの前端側には、それぞれリンク３７、３７が軸支され、両リンク３７、３７の他端側にはそれぞれスライダ３２、３２が軸支されている。
【００４４】
また、両ガイドローラ３３、３３の下方には、それぞれレール３４、３４が、前記蓋３０の後端付近から洗浄手段１１付近まで敷設され、前記ガイドローラ３３、３３が前記レール３４、３４上を転動するようになっている。また、前記レール３４、３４の洗浄手段１１側は、下方向に向けて傾斜した傾斜部３４ａが形成されており、前記ガイドローラ３３、３３が、レール３４、３４上を転動して傾斜部３４ａ、３４ａに達すると、前記ガイドローラ３３、３３が傾斜部３４ａ、３４ａに沿って下降するようになっている。
【００４５】
以上が、本発明の一実施形態に係る構成であり、次に図６（ａ）及び図６（ｂ）に基づいて、前記蓋３０の開閉動作について説明する。
【００４６】
図６（ａ）は、前記シリンダ４０のシリンダ軸４０ａが伸長し、前記蓋３０が開放した状態を表す。このとき、前記カム３５は、ケース１０の端部付近に位置し、前記ガイドローラ３３、３３がレール３４、３４の平坦部分に位置する。
【００４７】
次に図６（ｂ）のように、前記シリンダ４０を駆動して前記軸４０ａを収縮させると、前記蓋３０が、洗浄手段１１上まで水平動し、前記ガイドローラ３３が傾斜部３４ａに沿って下降する。前記ガイドローラ３３の下降に伴い、前記カム３５が、駆動軸３６を基点に矢印方向に回動する（前記シリンダ４０は、後端部が軸４１に軸支されているので、前記カム３５の回動に伴い、傾動が許容される。）。また、リンク３７が、支持板３８の水平動に伴い、リンク３７下端の軸３７ａを基点に傾動し、前記蓋３０が、下降して容器１５を覆うようになっている。このとき、前記蓋３０下面のシール材３０ｂが、前記容器１５の周囲と接することで、洗浄槽１７内の洗浄液の揮発を防ぐようになっている。
【００４８】
以上が、前記蓋３０の開閉動作であり、次に図７（ａ）から図８（ｄ）に従って、本発明の第一の実施形態に係る裁断刃洗浄装置の洗浄動作を説明する。なお、図７（ａ）から図９（ｅ）は、前記裁断刃洗浄装置２を簡易的に表したもので、一部を簡素化して描いてある。
【００４９】
図７（ａ）の二点鎖線は、裁断ヘッド７及びチャック２３の初期位置を示している。そして、まず、前記裁断ヘッド７が、刃物台２１上に下降し、裁断刃５５が該刃物台２１の溝に収納される。続いて、前記チャック２３が閉じることで、前記シート押え５４のくびれ部分が、前記チャック２３に挟持される。
【００５０】
図７（ｂ）のように、前記シート押え５４が前記チャック２３によって挟持された状態で、前記裁断ヘッド７が二点鎖線位置から実線位置の洗浄手段１１上へと移動する。このとき、前記洗浄手段１１の蓋３０が、開放する。また、前記シート押え５４は、前記チャック２３に保持され、前記裁断ヘッド７から係合が解かれて離脱する。
【００５１】
図８（ｃ）のように、前記裁断ヘッド７が二点鎖線位置から実線位置へと下降し、前記裁断刃５５が、洗浄液を含んだ前記ブラシ１４、１４間に挿通される。また、図示しないが、前記裁断ヘッド７を前記ブラシ１４、１４間に沿って前後方向に水平動させることで、前記裁断刃５５の側面を洗浄することができる。このとき、前記裁断ヘッド７を水平動ではなく上下動させるようにしても良く、水平動と上下動を併用するようにしても良い。
【００５２】
図８（ｄ）のように、前記裁断刃５５の洗浄が完了すると、前記裁断ヘッド７が矢印のように上昇し、水平動した後、前記シート押え５４上に下降する。前記裁断ヘッド７が前記シート押え５４上に下降することで、前記シート押え５４の係合ピン５４ａ（図示しない）が、前記固定枠５３に係合するとともに該固定枠５３の磁石５３ａの磁力によって、前記シート押え５４が前記固定枠５３に保持される。続いて、図７（ａ）の初期状態に戻り、適宜洗浄動作を繰り返すようになっている。
【００５３】
以上が、第１の実施形態に係る裁断刃洗浄装置の洗浄動作であり、次に第２の実施形態に係る裁断刃洗浄装置の洗浄動作について、図９（ａ）から図１０（ｃ）に基づいて以下に説明する。
【００５４】
図９（ａ）のように、本実施形態においては、前記シート押え５４が、前記裁断ヘッド７に装着された状態で、前記洗浄手段１１上に位置させる。このとき、前記洗浄手段１１の蓋３０を開放させる。
【００５５】
図９（ｂ）のように、前記裁断ヘッド７が下降し、前記裁断刃５５が、ブラシ１４、１４間に挿通される。なお、第１の実施形態同様に裁断ヘッド７を水平動や上下動させて、裁断刃５５の洗浄性を向上させることができる。また、ブラシ１４、１４が、シート押え５４の下面と接することで該シート押え５４も洗浄できる。この場合は、前記シート押え５４の材質に合わせて、洗浄液も適宜のものを選択できる。
【００５６】
次に図１０（ｃ）のように、裁断ヘッド７が刃物台２１上へ移動し、第１の実施形態のようにチャック２３でシート押え５４のくびれ部分を挟持し、以降第１の実施形態と同様に図７（ａ）から図８（ｄ）を繰り返すことで、シート押え５４及び裁断刃５５を効率的に洗浄できる。
【００５７】
以上が、本発明の実施形態であるが、本発明は前記実施形態には限定されず、本発明の範囲内で適宜の変更が可能である。例えば、シート押え５４の脱着は、磁石５３ａを用いて行うようにしたが、ボールプランジャなど、裁断ヘッド７への保持と、脱着を行なえるものであれば各種のものが採用できる。また、前記洗浄ブラシ１４も各種の形状、配置のものが採用できる。
【符号の説明】
【００５８】
Ｓ    シート材
１    裁断機
２    裁断刃洗浄装置
３    テーブル枠
４    裁断テーブル
５    Ｙビーム
６    レール
７    裁断ヘッド
８    底板
１０    ケース
１１    洗浄手段
１２    洗浄槽
１３    保持枠
１４    ブラシ
１５    容器
１６    固定枠
１７    洗浄槽
１８    支持台
２０    シート押え着脱手段
２１    刃物台
２２    支持枠
２３    チャック
２４    シリンダ
２４ａ  開閉部
３０    蓋
３０ａ  側壁
３０ｂ  シール材
３１    レール
３２    スライダ
３３    ガイドローラ
３４    レール
３４ａ  傾斜部
３５    カム
３６    駆動軸
３７    リンク
３７ａ  軸
３８    支持板
３９    連結部材
４０    シリンダ
４０ａ  シリンダ軸
４０ｂ  支持部
４１    軸
４２    支持枠
４３    軸
４４    軸
５０    ヘッド枠
５１    支持枠
５３    固定枠
５３ａ  磁石
５４    シート押え
５４ａ  係合ピン
５５    裁断刃
５６    刃物ホルダ
５７    支持板
５８    レール
５９    スライダ
６０    支持板
６１    ガイド
６１ａ  ガイド軸
６２    スライダ
【図１】
2018001389.tif 000003
【図２】
2018001389.tif 000004
【図３】
2018001389.tif 000005
【図４】
2018001389.tif 000006
【図５】
2018001389.tif 000007
【図６】
2018001389.tif 000008
【図７】
2018001389.tif 000009
【図８】
2018001389.tif 000010
【図９】
2018001389.tif 000011
【図１０】
2018001389.tif 000012